(57)【要約】  ヒートポンプ給湯室外機は、矩形の底面を有する底板と、底板の上にあり、冷媒を圧縮する圧縮機と、圧縮機の側面を覆う防音材と、底板の上にあり、防音材の下端の位置を底面よりも高い位置に保つ防音材載置部と、を有する。そして、防音材載置部は、底板の角部のうちの圧縮機に最寄りの角部を覆うように構成されている。なお、底板は、底面の各辺から上方へ延びる縁部を含んで構成されている。そして、防音材載置部は、防音材の下端の位置を縁部の上端よりも高い位置に保つように構成されている。
2019146003.tif 000002
【特許請求の範囲】
【請求項１】
矩形の底面を有する底板と、
前記底板の上にあり、冷媒を圧縮する圧縮機と、
前記圧縮機の側面を覆う防音材と、
前記底板の上にあり、前記防音材の下端の位置を前記底面よりも高い位置に保つ防音材載置部と、を備え、
前記防音材載置部は、前記底板の角部のうちの前記圧縮機に最寄りの角部を覆うように構成されているヒートポンプ給湯室外機。
【請求項２】
前記底板は、前記底面の各辺から上方へ延びる縁部を含んで構成され、
前記防音材載置部は、前記防音材の下端の位置を前記縁部の上端よりも高い位置に保つように構成されている請求項１に記載のヒートポンプ給湯室外機。
【請求項３】
前記防音材載置部は、前記底面と対向する下面に、ドレンが流れるためのドレン流路が形成されている請求項１又は請求項２に記載のヒートポンプ給湯室外機。
【請求項４】
前記ヒートポンプ給湯室外機の後面側には蒸発器が配置され、
前記底板には、ドレンを排出するためのドレン穴が形成され、
前記防音材載置部は、前記ドレン流路の流入口が前記蒸発器の側に向かって開口し、前記ドレン流路の流出口が前記ドレン穴の側に向かって開口するように構成される請求項３に記載のヒートポンプ給湯室外機。
【請求項５】
前記防音材載置部は、前記流入口の開口が前記流出口の開口よりも大きくなるように構成される請求項４に記載のヒートポンプ給湯室外機。
【請求項６】
前記防音材載置部は、前記圧縮機の周囲を弧状に囲むように構成され、
ヒートポンプ給湯室外機は、前記圧縮機を前記底板の上に配置した状態で、前記防音材載置部を前記底板の上に配置可能に構成されている請求項１から請求項５の何れか１項に記載のヒートポンプ給湯室外機。
【発明の詳細な説明】
【技術分野】
【０００１】
本発明は、ヒートポンプ給湯室外機に関する。
【背景技術】
【０００２】
大気の熱を利用する、エネルギー効率に優れたヒートポンプ給湯システムが広く用いられている。ヒートポンプ給湯システムが備えるヒートポンプ給湯室外機には、大気の熱を冷媒に吸収させる蒸発器、蒸発器へ送風するプロペラファン、冷媒を圧縮する圧縮機、圧縮された高温高圧の冷媒で水を加熱する水冷媒熱交換器などが搭載されている。運転時に生じる騒音を低減するために、圧縮機の周囲は、防音材により覆われている。圧縮機は、ヒートポンプ給湯室外機のベースとなる底板の上に設置される。蒸発器の表面に凝縮した水が、底板へ流下して溜まることがある。このような水を「ドレン」と称する。防音材は、例えばフェルトのような吸水性のある物質を含む。防音材がドレンを吸収すると、その水分によって圧縮機が腐食する可能性がある。防音材がドレンを吸収すると、防音材の防音性が低下する可能性がある。防音材がドレンを吸収することのないように、底板に溜まったドレンに防音材が触れないようにすることが望ましい。【０００３】
下記特許文献１に開示された室外機は、以下のように構成されている。圧縮機の側面を覆う防音材は、吸水性を有する吸音材を含む。圧縮機が設置される底板は、防音材が載置される防音材載置部と、防音材載置部の周囲に位置し、防音材載置部と一体成形された周囲部と、を有する。防音材載置部は、周囲部よりも高い位置にある。このような構成により、ドレンが流下して底板の周囲部上に溜まったとしても、このドレンが防音材載置部上に載置された防音材に接触するのが抑制される。これにより、吸音材へのドレンの浸透が抑制される。
【先行技術文献】
【特許文献】
【０００４】
【特許文献１】日本特開２０１３−５３８２７号公報
【発明の概要】
【発明が解決しようとする課題】
【０００５】
特許文献１の室外機では、以下の問題がある。ベランダ又は犬走りなどの設置環境の都合によって、室外機が圧縮機側に傾いて設置されることがある。この場合、底板に流下したドレンが圧縮機側の角部に溜ることにより、防音材がドレンに浸かるおそれがある。防音材が水を吸収すると、圧縮機のシェルが腐食する問題及び防音材の防音性が低下する問題が起こる可能性がある。【０００６】
本発明は、上述のような課題を解決するためになされたもので、設置環境の都合によらず、圧縮機の側面を覆う防音材が底板に溜った水を吸収することを防ぐことのできるヒートポンプ室外機を提供することを目的とする。
【課題を解決するための手段】
【０００７】
本発明に係るヒートポンプ給湯室外機は、矩形の底面を有する底板と、底板の上にあり、冷媒を圧縮する圧縮機と、圧縮機の側面を覆う防音材と、底板の上にあり、防音材の下端の位置を底面よりも高い位置に保つ防音材載置部と、を備える。そして、防音材載置部は、底板の角部のうちの圧縮機に最寄りの角部を覆うように構成されている。
【発明の効果】
【０００８】
本発明のヒートポンプ給湯室外機によれば、底板の角部のうち圧縮機に最寄りの角部が防音材載置部で覆われている。このため、圧縮機の側面を覆う防音材が角部に溜まるドレンに浸ることを防ぐことができる。これにより、設置環境の都合によらず圧縮機のシェルが腐食すること及び防音性が低下することを抑制することが可能となる。
【図面の簡単な説明】
【０００９】
【図１】実施の形態１のヒートポンプ給湯室外機を備えたヒートポンプ給湯システムの配管系統図である。
【図２】実施の形態１のヒートポンプ給湯室外機の外観を示す斜視図である。
【図３】実施の形態１のヒートポンプ給湯室外機の分解斜視図である。
【図４】実施の形態１のヒートポンプ給湯室外機が備える底板及び圧縮機などを示す分解斜視図である。
【図５】実施の形態１のヒートポンプ給湯室外機が備える底板、圧縮機、及び防音材などを示す斜視図である。
【図６】実施の形態１における圧縮機、底板、防音材載置部、防音材等の断面図である。
【図７】実施の形態１における圧縮機に取り付ける前の防音材載置部を上側からみた斜視図である。
【図８】実施の形態１における圧縮機に取り付ける前の防音材載置部を下側からみた斜視図である。
【図９】実施の形態１における防音材載置部を取り付けたヒートポンプ給湯室外機の内部構造を上面側から透視した図である。
【発明を実施するための形態】
【００１０】
以下、図面を参照して実施の形態について説明する。各図において共通する要素には、同一の符号を付して、重複する説明を簡略化または省略する。本開示は、以下の各実施の形態で説明する構成のうち、組合わせ可能な構成のあらゆる組合わせを含み得る。
【００１１】
実施の形態１．
図１は、実施の形態１のヒートポンプ給湯室外機を備えたヒートポンプ給湯システムの配管系統図である。図１に示すように、ヒートポンプ給湯システム１００は、ヒートポンプ給湯室外機１０と、タンクユニット５０とを備える。ヒートポンプ給湯室外機１０は、室外に設置される。タンクユニット５０は、室外に設置されてもよいし、室内に設置されてもよい。
【００１２】
ヒートポンプ給湯室外機１０は、圧縮機２、熱交換器３、第一膨張弁４ａ、第二膨張弁４ｂ、蒸発器５、内部熱交換器６、及び送風機７を備える。ヒートポンプ給湯室外機１０は、冷媒回路を備え、冷凍サイクルすなわちヒートポンプサイクルの運転を行う。圧縮機２は、低圧冷媒ガスを圧縮する。冷媒は、例えば二酸化炭素でもよい。熱交換器３は、圧縮機２から吐出された高温高圧の冷媒と、水または他の液状熱媒体との間で熱を交換する。液状熱媒体は、例えば、塩化カルシウム水溶液、エチレングリコール水溶液、アルコール、などでもよい。
【００１３】
第一膨張弁４ａ及び第二膨張弁４ｂは、高圧冷媒を減圧して低圧冷媒にする減圧装置の例である。減圧された低圧冷媒は、気液二相の状態になる。蒸発器５は、低圧冷媒と大気との間で熱を交換する熱交換器である。蒸発器５において、低圧冷媒は、大気の熱を吸収することで蒸発する。送風機７が蒸発器５へ送風することで、蒸発器５での熱交換を促進できる。内部熱交換器６は、高圧流路及び低圧流路を備える。内部熱交換器６は、高圧流路を流れる高圧冷媒と、低圧流路を流れる低圧冷媒との間で熱を交換する。蒸発器５で蒸発した低圧冷媒ガスは、内部熱交換器６の低圧流路を経由して、圧縮機２に吸入される。
【００１４】
本実施の形態における冷媒回路は、熱交換器３を通過した冷媒が内部熱交換器６の高圧流路を経由して蒸発器５に至る第一経路８と、熱交換器３を通過した冷媒が内部熱交換器６を経由せずに蒸発器５に至る第二経路９とを備える。第一膨張弁４ａは、内部熱交換器６の高圧流路の下流の第一経路８に設置されている。第二膨張弁４ｂは、第二経路９に設置されている。第一膨張弁４ａ及び第二膨張弁４ｂの開度を調整することで、熱交換器３から内部熱交換器６を経由して蒸発器５に至る冷媒の流量と、熱交換器３から内部熱交換器６を経由せずに蒸発器５に至る冷媒の流量との比率を変えることができる。
【００１５】
タンクユニット５０は、貯湯タンク５２、水ポンプ５３、流路切替弁５４、及びバイパス流路５５を備える。ヒートポンプ給湯室外機１０とタンクユニット５０との間は、外部配管５６，５７を介して接続されている。
【００１６】
貯湯タンク５２内には、加熱前の水及び加熱後の湯が貯留される。貯湯タンク５２内には、温度による水の比重の違いにより、上側が高温で下側が低温の温度成層が形成される。貯湯タンク５２の上部には、例えば給湯栓、シャワー、浴槽などの端末へ給湯するための給湯管（図示せず）が接続される。貯湯タンク５２の下部には、水道などの水源からの水を供給する給水管（図示せず）が接続される。貯湯タンク５２から給湯するときには、給水管から貯湯タンク５２内に作用する水圧により貯湯タンク５２の上部の湯が給湯管へ送出される。給湯管へ流出した湯と同量の水が給水管から貯湯タンク５２内に流入することで、貯湯タンク５２内が満水状態に維持される。
【００１７】
貯湯タンク５２の下部は、導管を介して水ポンプ５３の入口につながる。水ポンプ５３の出口は、流路切替弁５４につながる。流路切替弁５４は、外部配管５６を介して、ヒートポンプ給湯室外機１０の熱交換器３の水入口につながる。
【００１８】
ヒートポンプ給湯システム１００は、ヒートポンプ給湯室外機１０により加熱された湯を貯湯タンク５２内に蓄積する蓄熱運転を実施できる。蓄熱運転のときには、以下のようになる。圧縮機２、送風機７、及び水ポンプ５３が運転される。貯湯タンク５２の下部から流出した水が、水ポンプ５３、流路切替弁５４、及び外部配管５６を通って、ヒートポンプ給湯室外機１０の熱交換器３に流入する。この水は、熱交換器３にて冷媒により加熱されて湯になる。熱交換器３で加熱された湯の温度は、例えば、６５℃〜９０℃程度でもよい。熱交換器３から流出した湯は、外部配管５７を通ってタンクユニット５０に戻り、タンク上部管５８を通って貯湯タンク５２の上部に流入する。
【００１９】
流路切替弁５４は、水ポンプ５３から吐出された水が、ヒートポンプ給湯室外機１０に代えてバイパス流路５５を通ってタンク上部管５８に流入する状態になるように流路を切り替え可能である。
【００２０】
本発明のヒートポンプ給湯室外機は、上記ヒートポンプ給湯システム１００のような給湯システムの一部を構成するものに限らず、例えば温水暖房システムにおける液状熱媒体を加熱する用途に使用されるものでもよい。すなわち、本発明のヒートポンプ給湯室外機により加熱された液状熱媒体を、例えば、床下に設置される床暖房パネル、室内壁面に設置されるラジエータもしくはパネルヒーター、または、ファンコンベクターのような暖房器具へ供給してもよい。
【００２１】
図２は、実施の形態１のヒートポンプ給湯室外機１０の外観を示す斜視図である。図３は、実施の形態１のヒートポンプ給湯室外機１０の分解斜視図である。図２に示すように、ヒートポンプ給湯室外機１０は、複数の脚部４１を備える。脚部４１は、地面または床面に固定される。
【００２２】
図３に示すように、ヒートポンプ給湯室外機１０は、底板１８、フロントパネル１９、サイドパネル２０、及びトップパネル２１を備える。底板１８、フロントパネル１９、サイドパネル２０、及びトップパネル２１は、ヒートポンプ給湯室外機１０の外郭すなわち筐体を構成する。底板１８、フロントパネル１９、サイドパネル２０、及びトップパネル２１は、金属製が好ましい。底板１８は、ヒートポンプ給湯室外機１０のベースまたはフレームに相当する。圧縮機２などの構成機器は、底板１８の上に搭載される。底板１８の下面に脚部４１が固定されている。
【００２３】
フロントパネル１９は、ヒートポンプ給湯室外機１０の前面及び左側面を覆う。サイドパネル２０は、ヒートポンプ給湯室外機１０の後面の一部及び右側面を覆う。トップパネル２１は、ヒートポンプ給湯室外機１０の上面を覆う。
【００２４】
蒸発器５は、ヒートポンプ給湯室外機１０の後面及び左側面を覆うように配置される。蒸発器５とフロントパネル１９との間に送風機７が配置される。本実施の形態における送風機７は、プロペラファンを備える。ヒートポンプ給湯室外機１０の外郭の内部は、送風機７がある送風機室１５と、機械室１４とに区画されている。仕切板１６が送風機室１５と機械室１４とを隔てる。機械室１４には、圧縮機２及び冷媒配管等が配置される。図３では、後述する防音材３２，３３の図示を省略している。送風機７の下にケース１３が配置されている。熱交換器３は、断熱材に覆われた状態で、ケース１３内に収納されている。
【００２５】
フロントパネル１９は、送風機７と対向する位置に開口を有する。この開口を覆うグリル２３がフロントパネル１９に取り付けられている。送風機７が運転されると、外気すなわち大気が、蒸発器５を通過して送風機室１５に流入し、グリル２３からヒートポンプ給湯室外機１０の外へ排出される。
【００２６】
ヒートポンプ給湯室外機１０は、電気部品収納箱１７を備える。電気部品収納箱１７は、送風機室１５の上部の一部及び機械室１４の上部を占める空間に配置される。電気部品収納箱１７内には、例えば、圧縮機２のモーター及び送風機７のモーターを駆動制御するインバータ電源等の電気部品が収納されている。電気部品収納箱１７の近くには端子台がある。外部の電気配線を接続する時に端子台が用いられる。サービスパネル２２がサイドパネル２０に対して着脱可能に取り付けられる。サービスパネル２２は、端子台を保護する。サービスパネル２２の下には、接続部カバー４２がサイドパネル２０に対して着脱可能に取り付けられる。接続部カバー４２は、外部配管５６，５７が接続される接続部（図示せず）を保護する。
【００２７】
図４は、実施の形態１のヒートポンプ給湯室外機１０が備える底板１８及び圧縮機２などを示す分解斜視図である。図４に示すように、底板１８は、例えば１ｃｍ程度の高低差を有する凹凸、段差、斜面などが複数形成された形状を有する。底板１８は、矩形の底面１８１と、底面１８１の各辺から上方へ延びる縁部１８２とを有している。底板１８は、例えば絞り加工などのプレス加工により形成されたものでもよい。底板１８は、遮水性を有する。
【００２８】
底板１８には、ドレンを排水するための複数（本実施の形態では２個）のドレン穴３６が形成されている。ドレン穴３６は、底板１８のうちで最も低い位置にあることが望ましい。ドレン穴３６の個数は２個以上でもよい。ヒートポンプ給湯室外機１０の運転時、蒸発器５は低温になるため、蒸発器５を通過する空気に含まれる水分が蒸発器５の表面で凝縮することがある。凝縮したドレンは、重力により流下する。底板１８は、そのドレンを受ける。そのドレンは、底板１８に形成された高低差によってドレン穴３６の位置へ向かって流れ、ドレン穴３６から底板１８の下へ排出される。
【００２９】
圧縮機２は、シェルを備える。シェルの外形は、図示のような円筒形状でもよい。図示を省略するが、圧縮機２のシェルの内部には、冷媒を圧縮する圧縮装置と、圧縮装置を駆動するモーターとが収納されている。圧縮装置は、例えば、レシプロ式、スクロール式、ロータリー式などのいずれでもよい。
【００３０】
吸入マフラー２５は、圧縮機２のシェルに隣接している。吸入マフラー２５は、圧縮機２のシェルの側面に連結されている。吸入マフラー２５の外形は、圧縮機２のシェルより小さい円筒形状でもよい。吸入マフラー２５に吸入管２６が接続されている。低圧冷媒ガスは、吸入管２６及び吸入マフラー２５を通って圧縮機２に吸入される。圧縮機２には、吐出管２７が接続されている。圧縮機２で圧縮された高圧冷媒ガスは吐出管２７へ吐出される。
【００３１】
圧縮機２のシェルの底部には、圧縮機脚部３０が固定されている。圧縮機２は、圧縮機脚部３０を介して、底板１８に搭載される。圧縮機脚部３０は、圧縮機２及び吸入マフラー２５の重量を支えることのできる強度を有する。圧縮機脚部３０は、金属製が好ましい。圧縮機脚部３０は、圧縮機２を支える基底部に相当する。実施の形態における圧縮機脚部３０は、板状の部材である。圧縮機脚部３０の上面は、圧縮機２のシェルの底面に接合している。圧縮機脚部３０は、圧縮機２のシェルに対して溶接されていてもよい。圧縮機脚部３０には、複数（本実施の形態では３個）の孔４３が形成されている。
【００３２】
底板１８には、圧縮機２を底板１８に連結するための複数（本実施の形態では３個）のボルト２８が設置されている。ボルト２８は、上方へ向かって突出する。ボルト２８は、底板１８の上面に溶接されたウエルドボルトでもよい。ヒートポンプ給湯室外機１０は、複数（本実施の形態では３個）の防振部材２９を備える。防振部材２９は、底板１８の上面と圧縮機脚部３０の下面との間に配置される。防振部材２９は、例えばゴムまたはバネのような弾性を有する部材である。防振部材２９の外形は、図示のような円筒形状または円柱形状でもよい。防振部材２９は、ボルト２８を挿通可能な孔を有する。ボルト２８は、防振部材２９の孔と、圧縮機脚部３０の孔４３とを挿通する。ナット３１は、ボルト２８に螺合する。底板１８とナット３１との間に防振部材２９及び圧縮機脚部３０が挟まれることで、圧縮機２が底板１８に連結される。底板１８には、圧縮機脚部３０の周囲を囲むように防音材載置部２４が配置される。防音材載置部２４の構成及びその機能については詳細を後述する。
【００３３】
圧縮機２の運転中には、圧縮機２の内部の回転体のトルク変動、回転体のアンバランス、冷媒圧力の脈動などにより振動が発生する。特に、ヒートポンプ給湯室外機１０の圧縮機２では、高い圧縮圧力が必要になるため、圧縮機２の振動が大きくなりやすい。本実施の形態であれば、圧縮機２及び吸入マフラー２５の重量は、防振部材２９を介して底板１８にかかる。圧縮機２の運転時に、防振部材２９が振動を吸収することで、圧縮機２の振動が底板１８に伝達することを確実に抑制できる。
【００３４】
防振部材２９が無く、圧縮機２が底板１８の上面に直接固定されていると仮定すると、以下のような問題がある。圧縮機２の振動が底板１８に伝達し、さらに底板１８の振動がフロントパネル１９、サイドパネル２０、トップパネル２１、仕切板１６、蒸発器５などへ伝達する。その結果、底板１８、フロントパネル１９、サイドパネル２０、トップパネル２１、仕切板１６、蒸発器５などの振動が、騒音、特に低周波騒音を発生させる可能性がある。低周波騒音とは、ヒトの聴覚では感知できないような低い周波数を含む音である。
【００３５】
本実施の形態であれば、防振部材２９を備えたことで、底板１８、フロントパネル１９、サイドパネル２０、トップパネル２１、仕切板１６、蒸発器５などの振動を低減できる。よって、騒音、特に低周波騒音の発生を確実に抑制できる。
【００３６】
図５は、実施の形態１のヒートポンプ給湯室外機１０が備える底板１８、圧縮機２、及び防音材３２，３３などを示す斜視図である。図５に示すように、ヒートポンプ給湯室外機１０は、防音材３２，３３を備える。防音材３２は、圧縮機２の側面を少なくとも部分的に覆う。本実施の形態では、防音材３２は、圧縮機２及び吸入マフラー２５の側面をまとめて覆っている。防音材３２は、圧縮機２及び吸入マフラー２５に巻きつけられることで、筒状になる。筒状になった防音材３２の内側に圧縮機２及び吸入マフラー２５が位置する。防音材３３は、圧縮機２及び吸入マフラー２５を上から覆う。防音材３３は、筒状になった防音材３２の上端開口を塞ぐように配置される。防音材３３には、吸入管２６及び吐出管２７を通す孔４４が形成されている。本実施の形態であれば、防音材３２，３３を備えたことで、圧縮機２の運転時の騒音がヒートポンプ給湯室外機１０の外部に漏れることを確実に抑制できる。
【００３７】
防音材３２，３３は、吸音材を備える。吸音材は、細かい空隙を有する材料からなる。吸音材は、例えば、フェルト、グラスウール、ロックウールのうちの少なくとも一つを含んでもよい。防音材３２，３３は、遮音材をさらに備えてもよい。吸音材が防音材３２，３３の内層を構成し、遮音材が防音材３２，３３の外層を構成してもよい。遮音材は、吸音材より密度の高い材料からなる。遮音材は、例えば、ゴム材料、樹脂材料などで構成されてもよい。
【００３８】
底板１８に設けられたドレン穴３６に例えば枯葉、泥などの異物が詰まることにより、ドレン穴３６が閉塞する可能性がある。ドレン穴３６が閉塞した場合、蒸発器５などから流下した水がドレン穴３６から排出されなくなる。ヒートポンプ給湯室外機１０の運転時には、蒸発器５が常に冷えた状態になる。このため、空気調和機の室外機に比べて、蒸発器５の表面で発生する凝縮水の量が多い。ドレン穴３６が閉塞した場合には、底板１８上に多量のドレンが溜まる可能性がある。
【００３９】
ベランダ又は犬走りなどの設置環境の都合によって、ヒートポンプ給湯室外機１０が圧縮機２の側に傾いた状態で設置される場合がある。この場合、底板１８上の特に圧縮機２に最寄りの角部１８３付近に多量のドレンが溜まる可能性がある。
【００４０】
防音材３２，３３が備える吸音材は、細かい空隙を有するため、吸水性を有する。防音材３２の下端が底板１８上のドレン溜まりに触れたと仮定すると、防音材３２の吸音材が水を吸収してしまう。水を吸収した吸音材は、吸音性能が低下する。また、吸音材に吸収された水分が圧縮機２に接触することで、圧縮機２が腐食する可能性がある。これらの弊害を避けるには、防音材３２の下端が底板１８上のドレン溜まりに接触することを確実に防止する必要がある。
【００４１】
図４及び図５に示すように、本実施の形態のヒートポンプ給湯室外機１０は、防音材３２の下端の位置を保つ防音材載置部２４を備える。防音材載置部２４は、底板１８上に配置される。防音材載置部２４は、その一部が底板１８の角部１８３に沿った形状を有している。より詳しくは、防音材載置部２４は、底板１８の縁部１８２のうち、右側面側の側面に沿うように構成された第一辺２４１と、前面側の側面に沿うように構成された第二辺２４２と、を有している。第一辺２４１と第二辺２４２とが成す角は、直角に構成される。防音材載置部２４は、第一辺２４１及び第二辺２４２が底板１８の角部１８３を含んだ縁部１８２に接触するように配置される。このような配置によれば、底板１８の角部１８３は、防音材載置部２４で覆われる。
【００４２】
本実施の形態であれば、防音材載置部２４を備えたことで、以下の効果が得られる。ドレン穴３６の閉塞によって底板１８上にドレン溜まりが発生した場合であっても、角部１８３にドレン溜まりが発生して防音材３２の下端がドレン溜まりに浸かることを確実に防止できる。防音材３２の吸音材に水が吸収されることを確実に防止できる。防音材３２の吸音材の吸音性能が低下したり、圧縮機２の腐食を招いたりするような弊害の発生を確実に防止できる。
【００４３】
図６は、実施の形態１における圧縮機２、底板１８、防音材載置部２４、防音材３２，３３等の断面図である。図６では、圧縮機２については断面でなく外観を示す。
【００４４】
図６に示すように、防音材載置部２４の上面２４３は、底板１８の縁部１８２の上端までの高さより上の位置にある。より詳しくは、底板１８の底面１８１から縁部１８２の上端までの高さをｈ１とし、底板１８の底面１８１から防音材載置部２４の上面２４３までの高さをｈ２とすると、防音材載置部２４及び底板１８はｈ２＞ｈ１となるように構成されている。防音材載置部２４の上面２４３は、防音材３２の下端面に接する。仮に底板１８の角部１８３にドレンＷが溜まったとしても、縁部１８２の高さｈ１よりも水面が高くなることはない。本実施の形態の構成によれば、防音材３２の下端面の位置を、ドレン溜まりの水面より上の位置に確実に保つことができる。このため、ドレン穴３６の閉塞時に底板１８上にドレン溜まりが発生した場合であっても、防音材３２の下端がドレン溜まりに触れることを確実に防止でき、防音材３２の吸音材が吸水することを確実に防止できる。
【００４５】
図７は、実施の形態１における圧縮機２に取り付ける前の防音材載置部２４を上側からみた斜視図である。また、図８は、実施の形態１における圧縮機２に取り付ける前の防音材載置部２４を下側からみた斜視図である。さらに、図９は、実施の形態１における防音材載置部２４を取り付けたヒートポンプ給湯室外機１０の内部構造を上面側から透視した図である。
【００４６】
図７及び図８に示すように、防音材載置部２４の下面には、凹形状のドレン流路２４４が設けられている。ドレン流路２４４は、防音材載置部２４の側面側に開口した流入口２４５と流出口２４６とを有している。図８及び図９に示すように、防音材載置部２４は、流入口２４５が蒸発器の側に開口し、流出口２４６がドレン穴３６の側に開口している。流入口２４５は流出口２４６よりも大きく開口している。
【００４７】
本実施の形態であれば、ドレン流路２４４を備えたことで、以下の効果が得られる。図９に示すように、蒸発器５から流下したドレンは、流入口２４５からドレン流路２４４を通って流出口２４６から流出し、ドレン穴３６へと排水される。これにより、底板１８の角部１８３にドレンが溜まることを防ぐことができる。流入口２４５が蒸発器５の側に向かって大きく開口しているため、蒸発器５から流下したドレンを取り入れやすい。また、流出口２４６がドレン穴３６の側に向かって小さく開口しているため、流出口２４６から流出したドレンが他方に流れることを有効に防ぐことができる。このように、本実施の形態であれば、ドレンの排水効率を高めて防音材３２がドレンに浸かることを確実に防ぐことができる。
【００４８】
なお、防音材載置部２４は、防振部材２９を位置決めとして底板１８に配置される。図７及び図８に示すように、防音材載置部２４は、輪状ではなく弧状の形状を有している。より詳しくは、防音材載置部２４は、圧縮機２が固定された圧縮機脚部３０の三角形の２辺の周囲を弧状に囲うように配置される。本実施の形態であれば、弧状の防音材載置部２４を備えたことで、以下の効果が得られる。圧縮機２を底板１８に固定した状態であっても、防音材載置部２４を底板１８に設置することができる。これにより、組立順序に縛られることなく防音材載置部２４を取り付けることができる。
【符号の説明】
【００４９】
２  圧縮機、  ３  熱交換器、  ４ａ  第一膨張弁、  ４ｂ  第二膨張弁、  ５  蒸発器、  ６  内部熱交換器、  ７  送風機、  ８  第一経路、  ９  第二経路、  １０  ヒートポンプ給湯室外機、  １３  ケース、  １４  機械室、  １５  送風機室、  １６  仕切板、  １７  電気部品収納箱、  １８  底板、  １８１  底面、  １８２  縁部、  １８３  角部、  １９  フロントパネル、  ２０  サイドパネル、  ２１  トップパネル、  ２２  サービスパネル、  ２３  グリル、  ２４  防音材載置部、  ２４１  第一辺、  ２４２  第二辺、  ２４３  上面、  ２４４  ドレン流路、  ２４５  流入口、  ２４６  流出口、  ２５  吸入マフラー、  ２６  吸入管、  ２７  吐出管、  ２８  ボルト、  ２９  防振部材、  ３０  圧縮機脚部、  ３１  ナット、  ３２，３３  防音材、  ３６  ドレン穴、  ４１  脚部、  ４２  接続部カバー、  ４３  孔、  ４４  孔、  ５０  タンクユニット、  ５２  貯湯タンク、  ５３  水ポンプ、  ５４  流路切替弁、  ５５  バイパス流路、  ５６，５７  外部配管、  ５８  タンク上部管、  １００  ヒートポンプ給湯システム
【図１】
2019146003.tif 000003
【図２】
2019146003.tif 000004
【図３】
2019146003.tif 000005
【図４】
2019146003.tif 000006
【図５】
2019146003.tif 000007
【図６】
2019146003.tif 000008
【図７】
2019146003.tif 000009
【図８】
2019146003.tif 000010
【図９】
2019146003.tif 000011
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
矩形の底面を有する底板と、
前記底板の上にあり、冷媒を圧縮する圧縮機と、
前記圧縮機の側面を覆う防音材と、
前記底板の上にあり、前記防音材の下端の位置を前記底面よりも高い位置に保つ防音材載置部と、を備え、
前記防音材載置部は、前記底板の角部のうちの前記圧縮機に最寄りの角部を覆うように構成され、
前記防音材載置部は、前記圧縮機の周囲を弧状に囲むように構成され、
ヒートポンプ給湯室外機は、前記圧縮機を前記底板の上に配置した状態で、前記防音材載置部を前記底板の上に配置可能に構成されているヒートポンプ給湯室外機。
【請求項２】
前記底板は、前記底面の各辺から上方へ延びる縁部を含んで構成され、
前記防音材載置部は、前記防音材の下端の位置を前記縁部の上端よりも高い位置に保つように構成されている請求項１に記載のヒートポンプ給湯室外機。
【請求項３】
前記防音材載置部は、前記底面と対向する下面に、ドレンが流れるためのドレン流路が形成されている請求項１又は請求項２に記載のヒートポンプ給湯室外機。
【請求項４】
前記ヒートポンプ給湯室外機の後面側には蒸発器が配置され、
前記底板には、ドレンを排出するためのドレン穴が形成され、
前記防音材載置部は、前記ドレン流路の流入口が前記蒸発器の側に向かって開口し、前記ドレン流路の流出口が前記ドレン穴の側に向かって開口するように構成される請求項３に記載のヒートポンプ給湯室外機。
【請求項５】
前記防音材載置部は、前記流入口の開口が前記流出口の開口よりも大きくなるように構成される請求項４に記載のヒートポンプ給湯室外機。
【手続補正２】
【補正対象書類名】明細書
【補正対象項目名】０００７
【補正方法】変更
【補正の内容】
【０００７】
本発明に係るヒートポンプ給湯室外機は、矩形の底面を有する底板と、底板の上にあり、冷媒を圧縮する圧縮機と、圧縮機の側面を覆う防音材と、底板の上にあり、防音材の下端の位置を底面よりも高い位置に保つ防音材載置部と、を備える。そして、防音材載置部は、底板の角部のうちの圧縮機に最寄りの角部を覆うように構成され、防音材載置部は、圧縮機の周囲を弧状に囲むように構成され、ヒートポンプ給湯室外機は、圧縮機を底板の上に配置した状態で、防音材載置部を底板の上に配置可能に構成されている。
【国際調査報告】
2019146003.tif 000012
2019146003.tif 000013
2019146003.tif 000014
2019146003.tif 000015